(57)【要約】【課題】消費電力を低減するとともに、小型化を図ることができる電界検出回路を提供する。【解決手段】本発明にかかる電界検出回路は、カスケード接続され、入力信号を増幅する複数の増幅器と、増幅器の各出力側にそれぞれ接続された複数の検波器と、検波器の各出力側と接地との間にそれぞれ接続された複数の抵抗と、検波器と前記抵抗との各接続点に一入力側がそれぞれ接続された複数のコンパレータと、コンパレータの各他入力側に共通に接続された基準電圧源とを有する。各コンパレータに入力される基準電圧と、各検波器から出力される電流が抵抗によって電圧変換された電圧とを比較する。【選択図】図１
2008111783.tif 000002
【特許請求の範囲】
【請求項１】
カスケード接続され、入力信号を増幅する複数の増幅器と、
前記増幅器の各出力側にそれぞれ接続された複数の検波器と、
前記検波器の各出力側と接地との間にそれぞれ接続された複数の抵抗と、
前記検波器と前記抵抗との各接続点に一入力側がそれぞれ接続された複数のコンパレータと、
前記コンパレータの各他入力側に共通に接続された基準電圧源とを有する電界検出回路。
【請求項２】
前記検波器、前記抵抗、及び前記コンパレータと同様に初段の前記増幅器の入力側に接続された検波器、抵抗、及びコンパレータをさらに有する
ことを特徴とする請求項１記載の電界検出回路。
【請求項３】
前記コンパレータは、前記検波器から出力される電流が前記抵抗によって電圧変換された電圧と、前記基準電圧源から入力される電圧とを比較し、前記増幅器に入力される前記入力信号の電界強度を算出する
ことを特徴とする請求項１又は２記載の電界検出回路。
【請求項４】
前記抵抗とそれぞれ並列接続された複数の平滑容量をさらに有する
ことを特徴とする請求項１乃至３のいずれか１項記載の電界検出回路。
【請求項５】
前記コンパレータの各出力側に接続された符号器をさらに有し、
前記符号器は、前記コンパレータから入力される信号のパターン数に応じたビットを出力する
ことを特徴とする請求項１乃至４のいずれか１項記載の電界検出回路。
【請求項６】
カスケード接続され、初段への入力信号に基づいた各段への入力信号を各段で所定値の利得で増幅し、かつ各段の出力が所定値の振幅を超えないように飽和する複数の増幅器と、
前記増幅器のそれぞれの飽和／非飽和に応じて飽和時に所定値の飽和電流を出力する複数の検波器と、
前記増幅器のそれぞれの飽和／非飽和に応じて飽和時に前記飽和電流を所定値の飽和電圧に変換する複数の抵抗と、
前記増幅器のそれぞれの飽和／非飽和に応じて飽和時に前記飽和電圧を基準電圧と比較して飽和であることを示す所定の論理信号を出力する複数のコンパレータと、
前記コンパレータに前記基準電圧を共通に出力する基準電圧源とを有する電界検出回路。
【請求項７】
前記初段の増幅器の入力側に接続され、前記電界検出回路の入力信号の振幅の飽和／非飽和に応じて飽和時に所定値の飽和電流を出力する検波器と、
前記入力信号の振幅の飽和／非飽和に応じて飽和時に前記飽和電流を所定値の飽和電圧に変換する抵抗と、
前記飽和電圧と前記基準電圧と比較して飽和であることを示す所定の論理信号を出力するコンパレータとをさらに有する
ことを特徴とする請求項６記載の電界検出回路。
【発明の詳細な説明】
【技術分野】
【０００１】
本発明は、電界検出回路に関し、特に、ＲＳＳＩ（Ｒｅｃｅｉｖｅｄ  Ｓｉｇｎａｌ  Ｓｔｒｅｎｇｔｈ  Ｉｎｄｉｃａｔｏｒ）回路に関する。
【背景技術】
【０００２】
電波は、電波発生源である送信アンテナからの伝搬距離が長くなるに従って電界強度が減衰するという電波伝搬特性を有している。また、この電波伝搬特性、すなわち電界強度の減衰レベルは、地形、建造物の配置などによって変化したりする。このため、無線通信装置の受信機、例えば、移動通信システムにおける携帯電話等の移動機は、受信電波の電界強度を検出するＲＳＳＩ回路（受信電界レベル表示回路）を備えている。一般的にＲＳＳＩ回路には、デシベルで表される対数特性を有する回路が使用される。以下にその説明をする。
【０００３】
まず、ＲＳＳＩ回路の入力電圧を線形表示した場合について説明する。ＲＳＳＩ回路において入力電圧に対する出力電圧の線形表示の一例を図４に示す。図４の横軸はＲＳＳＩ回路の受信信号の電界強度を示す入力電圧［Ｖ］、縦軸はＲＳＳＩ回路の出力電圧［Ｖ］である。図４に示すように、入力電圧が小さい場合、出力電圧変化は大きいが、受信信号強度が略６０ｍＶ以上において出力電圧の変化は小さい。すなわち、入力信号を電圧表示にした場合、入力電圧が小さい場合と大きい場合においては直線的な関係を得ることができない。
【０００４】
次に、入力電圧を対数表示（デシベル表示）にした場合について説明する。図５は、入力電圧をデシベル表示した場合の一例を示すグラフ図である。図５の横軸はＲＳＳＩ回路の入力電界強度［ｄＢｍ］、縦軸はＲＳＳＩ回路の出力電圧［Ｖ］を示している。図５に示すように、入力電界強度と出力電圧の関係をデシベル表示にした場合は、入力電界強度と出力電圧とが比例した直線的な特性とすることができる。すなわち、入力信号をデシベル表示にすることによって線形な出力が得ることができ、入力電界強度が小さい場合においても高精度の出力を得ることができる。このため、ＲＳＳＩ回路は一般的にデシベルで表される入力信号が用いられている。
【０００５】
上述の入力電界強度と出力電圧の特性を有するＲＳＳＩ回路９３を備える通信装置９０について図６を用いて説明する。図６に示す通信装置９０は、アンプＡ９１乃至Ａ９６と、検波器Ｄ９０乃至Ｄ９６と、負荷抵抗９１と、平滑容量９２からなるＲＳＳＩ回路９３と、Ａ／Ｄコンバータ９４を有する。このＲＳＳＩ回路９３は例えば通信装置９０のベースバンド部に形成されている。ＲＳＳＩ回路９３のアンプＡ９１は図示せぬＲＦ部に接続されている。アンプＡ９１乃至Ａ９６は、例えば２０ｄＢの一定の利得を有し、カスケード（縦続）接続されている。検波器Ｄ９０乃至Ｄ９６は、各アンプＡ９１乃至Ａ９６に入力される信号の電界強度が異なるため、その電界強度レベルに合った特性となるように形成されている。また、検波器Ｄ９０乃至Ｄ９６が各アンプＡ９１乃至Ａ９６の前後に接続されている。このＲＳＳＩ回路９３は、各検波器Ｄ９０乃至Ｄ９６の出力を全て加算し、ＲＳＳＩ回路９３に入力された全体の信号強度を判定している。
【０００６】
すなわち、検波器Ｄ９０乃至Ｄ９６の出力が全て加算されて負荷抵抗９１によって電圧に変換される。これによってＲＳＳＩ回路９３は入力信号強度を出力している。この入力信号強度に基づいて、受信限界の電界強度を検出する等行い、ベースバンド部後段に形成された素子の動作を停止させたりする。また、ＲＦ部に出力電圧をフィードバックし、ＲＦ部内のＲＦアンプ及びＩＦアンプ等の利得の制御、またＡ／Ｄコンバータ９４の係数調整等を行っている。次に、図６に示すＲＳＳＩ回路９３の動作の一例について説明する。ここではＡ９１乃至Ａ９６の各アンプの利得が２０ｄＢ、各アンプの最大出力振幅（飽和）が２Ｖ（＋１０ｄＢｍ）、回路の電源電圧が２．５Ｖ、入力される信号の電界強度が−１００ｄＢｍ〜＋１０ｄＢｍの場合について説明する。上記設定値の場合の各検波器の出力状態を図７に示す。図７は、例えば、入力信号の電界強度が−６０ｄＢｍの場合、検波器Ｄ９１はアンプＡ１を介して−４０ｄＢｍを検出し、アンプＡ２は−２０ｄＢｍを検出していることを示している。図７に示す各検波器の出力の場合において、例えば、負荷抵抗９１が２０ＫΩ、各検出器のアンプ飽和時電流が１０μＡの場合の理論値を図８に示す。図８に示すように、上記設定値の場合におけるＲＳＳＩ回路９０は、入力信号の電界強度が１０ｄＢｍの場合であって検波器Ｄ９０乃至Ｄ９６の出力値の合計が７０μＡの場合において、最大で１．４Ｖの対数出力電圧を得ることができることを示している。すなわち、アンプが全て飽和した場合は最大で１．４Ｖの出力を得ることができる。
【０００７】
携帯電話機等の移動機においては消費電力が小さいこと、及び小型化が求められている。しかしながら、上述した従来のＲＳＳＩ回路９３を有する通信装置９０は、Ａ／Ｄコンバータ９４を用いるため消費電力が増大するという問題点、及び回路規模が大きくなり小型化の妨げになるという問題点があった。
【０００８】
そこで、従来、Ａ／Ｄコンバータを使用しないで受信電波の入力電界強度を出力する無線受信装置が特許文献１に記載されている。特許文献１に記載の無線受信装置を図９に示す。図９に示すように、無線受信装置１００は、ローパスフィルタ等からなる電界検出回路１０１と、電界検出回路１０１に接続されている複数のコンパレータＣ１０１乃至Ｃ１０３と、各コンパレータＣ１０１乃至Ｃ１０３に接続されている制御部１０２と、各コンパレータにそれぞれ接続される基準電圧源Ｅ１乃至Ｅ３を有している。無線受信装置１００は、電界検出回路１０１で電界強度に比例した電圧が生成される。この電圧を基準電圧の異なる複数のコンパレータＣ１０１乃至Ｃ１０３で比較している。すなわち、電界検出回路１０１で生成された電圧が、基準電圧の異なる複数のコンパレータＣ１０１乃至Ｃ１０３に入力される。そして、入力された電圧と、それぞれのコンパレータＣ１０１乃至Ｃ１０３に接続されている基準電圧とを比較する。各コンパレータＣ１０１乃至Ｃ１０３は、入力された電圧と基準電圧源から供給される電圧との大小を比較し、当該比較情報を制御回路に出力している。この比較情報に基づいて無線受信装置１００内の装置の動作を制御している。また、特許文献２に、複数の比較回路にそれぞれ接続されるしきい値生成部を有する信号振幅検出回路が記載されている。
【特許文献１】特開２０００−３０７６６５号公報
【特許文献２】特開２００１−３３７１１５号公報
【発明の開示】
【発明が解決しようとする課題】
【０００９】
しかしながら、特許文献１に記載の無線受信装置１００は、各コンパレータにそれぞれ基準電圧源を接続する必要があるため、消費電力が増大するという問題点、及び小型化の妨げになるという問題点があった。すなわち、無線受信装置１００が受信する信号を常に監視するため、常時通電を行う必要がある。これにより、無線受信装置１００が有する基準電圧源が多いほど無線受信装置１００の消費電力が増大するという問題点があった。また、基準電圧源が多いほど回路規模が大きくなり小型化の妨げになるという問題点があった。また、特許文献２に記載の信号振幅検出回路においても複数の比較回路にそれぞれしきい値生成部を有しているため、信号振幅検出回路の消費電力が増大するという問題点、及び回路規模が大きくなり小型化の妨げになるという問題点があった。
【課題を解決するための手段】
【００１０】
上述した課題を解決するために、本発明に係る電界検出回路は、カスケード接続され、入力信号を増幅する複数の増幅器と、前記増幅器の各出力側にそれぞれ接続された複数の検波器と、前記検波器の各出力側と接地との間にそれぞれ接続された複数の抵抗と、前記検波器と前記抵抗との各接続点に一入力側がそれぞれ接続された複数のコンパレータと、前記コンパレータの各他入力側に共通に接続された基準電圧源とを有することを特徴とする。
【００１１】
各検波器はそれぞれコンパレータに接続され、各コンパレータを共通の基準電圧源に接続することにより、基準電圧源数を低減する。
【発明の効果】
【００１２】
本発明に係る電界検出回路によれば、消費電力を低減するとともに、小型化を図ることができる。
【発明を実施するための最良の形態】
【００１３】
実施の形態１．
以下、本実施の形態について、図面を参照しながら詳細に説明する。本実施の形態は電界検出回路であるＲＳＳＩ回路を無線受信装置に適用したものである。図１に本実施の形態にかかるＲＳＳＩ回路を有する無線受信装置全体の構成を示す。図１に示すように、本実施の形態にかかる無線受信装置は、アンテナ２、ＲＦ(Radio Frequency)アンプ３と、ミキサ４と、局部発振器５と、ＩＦ（Intermediate Frequency）アンプ６と、ＲＳＳＩ回路１からなるＲＦ部７、及びベースバンド処理部（図示せず）等を有している。まず、アンテナ２が受信した受信（ＲＦ）信号は、ＲＦアンプ３に出力される。そして、ＲＦアンプ３から出力される信号と局部発振器５の出力信号とをかけ合わせて、ＩＦアンプ６等を介してＩＦ信号（中間周波数信号）に変換される。ＲＳＳＩ回路１は、ＩＦ信号を増幅して入力電界強度を算出し、電圧信号として出力する。そして出力された電圧信号に基づいてＲＦアンプ３、及びＩＦアンプ６等の利得の制御を行う。また、例えば、このＲＳＳＩ回路１が搭載されている無線受信装置等の電界強度の表示を行う。
【００１４】
上述したＲＳＳＩ回路について更に詳細に説明する。図２にＲＳＳＩ回路１の構成を示す。図２に示すＲＳＳＩ回路１は、増幅器である複数のアンプＡ１乃至Ａ６と、各アンプＡ１乃至Ａ６の飽和を検出する複数の検波器Ｄ１乃至Ｄ７と、検波器Ｄ１乃至Ｄ７にそれぞれ接続され、複数のコンパレータＣ１乃至Ｃ７（一部図示せず）と、各コンパレータＣ１乃至Ｃ７に接続される共通の基準電圧源８と、複数の検波器Ｄ１乃至Ｄ７にそれぞれ接続されている負荷抵抗Ｒ１乃至Ｒ７（一部図示せず）と、各負荷抵抗Ｒ１乃至Ｒ７にそれぞれ並列接続された平滑容量Ｈ１乃至Ｈ７(一部図示せず)を有する。ここで、コンパレータＣ１乃至Ｃ７の一方の入力端子はそれぞれ検波器Ｄ１乃至Ｄ７に接続され、他方の入力端子は基準電圧源８に共通に接続されている。また、各負荷抵抗及び各平滑容量は電流電圧変換回路を形成している。
【００１５】
複数のアンプＡ１乃至Ａ６はカスケード接続されていて、初段のアンプＡ１の入力信号に基づく各段の入力を、各段で所定の利得で増幅して各段の出力が所定値の振幅を超えないように飽和させる。検波器Ｄ１乃至Ｄ７は例えば、ダイオードを用いて形成されている。そして、検波器Ｄ２乃至Ｄ７は、それぞれの出力側に接続されているアンプＡ１乃至Ａ６の飽和／非飽和に応じて、飽和時に所定値の飽和電流を出力する。検波器Ｄ１はＲＳＳＩ回路１が入力したＩＦ信号を入力し、このＩＦ信号の振幅の飽和／非飽和に応じて、飽和時に所定値の飽和電流を出力する。複数の抵抗Ｒ２乃至Ｒ７は、それぞれ検波器Ｄ２乃至Ｄ７を介して接続されているアンプＡ１乃至Ａ７の飽和／非飽和に応じて、飽和時に検波器Ｄ２乃至Ｄ７から出力される飽和電流を所定の飽和電圧に変換する。また、抵抗Ｒ１はＲＳＳＩ回路１に入力されるＩＦ信号の振幅の飽和／非飽和に応じて、飽和時に検波器Ｄ１から出力される飽和電流を飽和電圧に変換する。そして、コンパレータＣ２乃至Ｃ７は、それぞれ検波器Ｄ２乃至Ｄ７を介して接続されているアンプＡ１乃至Ａ６の飽和／非飽和に応じて、飽和時に各抵抗Ｒ２乃至Ｒ７によって変換された飽和電圧を基準電圧源８の基準電圧と比較し、飽和であることを示す所定の論理信号を出力する。また、コンパレータＣ１は、ＩＦ信号の振幅の飽和／非飽和に応じて、飽和時に抵抗Ｒ１によって変換された飽和電圧を基準電圧と比較し飽和であることを示す所定の論理信号を出力する。
【００１６】
次に、このＲＳＳＩ回路１の動作について説明する。ＲＳＳＩ回路１は、ＩＦ信号を入力し、複数段にカスケード接続されているアンプＡ１乃至Ａ６から出力される各段の電圧を、デジタル信号として出力する。すなわち、まず、複数段にカスケード接続されているアンプＡ１乃至Ａ６にＩＦ信号に変換された受信信号が入力される。そして、各アンプにアンプＡ１からアンプＡ６まで順番にＩＦ信号が入力される。アンプを介する毎に入力信号が増幅される。そして、それぞれアンプを介して増幅された信号が各検波器Ｄ２乃至Ｄ７に出力される。
【００１７】
ここで、上述したように、検波器Ｄ１はアンプを介さずにＲＳＳＩ回路１が入力したＩＦ信号が入力される。そして、各検波器Ｄ１乃至Ｄ７は入力した信号に応じた電流を出力する。例えば、アンプＡ１乃至Ａ３までが非飽和であって、アンプＡ４乃至Ａ７が飽和している場合、検波器Ｄ１乃至Ｄ４からは非飽和時電流、検波器Ｄ５乃至Ｄ７には飽和時電流を出力する。各検波器Ｄ１乃至Ｄ７から出力された電流は、各平滑容量Ｈ１乃至Ｈ７によって平滑される。そして、平滑された電流は負荷抵抗によって電圧に変換され、各検波器Ｄ１乃至Ｄ７にそれぞれ接続されているコンパレータＣ１乃至Ｃ７に出力される。このとき、コンパレータＣ１乃至Ｃ７は、各検波器Ｄ１乃至Ｄ７の出力電流が負荷抵抗によって電圧変換され一方の入力端子に入力される電圧と、他方の入力端子に共通の基準電圧源８から供給される基準電圧とを比較する。基準電圧は、各アンプの飽和を検出できうる電圧に設定される。例えば、各アンプの飽和電圧が１．４Ｖの場合には、１．４Ｖより少し低い１．３５Ｖ等に設定する。各検波器Ｄ１乃至Ｄ７から出力され電圧変換された電圧が基準電圧より高い場合はハイレベル、低い場合はローレベルとなる。例えば、ハイレベルの場合を１、ローレベルの場合を０としてＲＳＳＩ回路からデジタル信号を出力する。これにより、ＲＳＳＩ回路１は、受信信号をデジタル信号として出力し、入力電界強度を算出している。すなわち、各検波器Ｄ１乃至Ｄ７にそれぞれコンパレータＣ１乃至Ｃ７を接続する。そして、このコンパレータＣ１乃至Ｃ７に入力される基準電圧源８を共通化することによって、ＲＳＳＩ回路１の消費電力を低減することができる。
【００１８】
このように構成されたＲＳＳＩ回路１において、受信信号の分解能を高くする場合には、各アンプＡ１乃至Ａ６の利得を低くしてアンプの段数を多くしてもよい。アンプの段数を増加させる場合、各検波器Ｄ１乃至Ｄ７に接続されるコンパレータＣ１乃至Ｃ７の数も増加させる。ただし、このことにより、配線数が増加する場合がある。この場合、例えば、各コンパレータＣ１乃至Ｃ７を符号器と接続させる。符号器を用いることにより、各コンパレータＣ１乃至Ｃ７からの出力がバイナリ符号化されるため、少ない配線で回路を形成することができる。
【００１９】
以下に、バイナリ符号化する場合の各コンパレータＣ１乃至Ｃ７からの出力について説明する。図３（ａ）に図２に示すＲＳＳＩ回路１のコンパレータＣ１乃至Ｃ７に接続される符号器の概略図を示す。図３（ｂ）にこの符号器に入力されるデジタル信号のパターンを示す。図３（ａ）に示すＯｕｔ１乃至Ｏｕｔ７の出力は、図２に示すコンパレータＣ７乃至Ｃ１の出力に対応している。例えば、コンパレータを７個有する場合、デジタル出力のパターンは図３（ｂ）に示すように、８通り考えられる。８通りの出力は３ビットで表すことができる。すなわち、コンパレータＣ１乃至Ｃ７の出力は、符号器を介することよって３本の配線で出力することができる。このように、ＲＳＳＩ回路１の配線数が増加した場合でもコンパレータから出力されたデジタル信号は、符号器を接続させることによって、配線数を低減させることができる。このため、ＲＳＳＩ回路１が大規模化することを抑制することもできる。
【００２０】
本実施の形態ではハイレベルを１、ローレベルを０としたが、ハイレベルを０、ローレベルを１としてもよい。また、アンプ、検波器、コンパレータ、負荷抵抗、及び平滑容量の数は受信信号の分解能の高低等に伴って適宜変更可能である。
【００２１】
以上に説明したように、本実施の形態においては、アンプを介して増幅された電圧が入力され、アンプの飽和を検出する複数の検波器Ｄ１乃至Ｄ７にそれぞれコンパレータＣ１乃至Ｃ７を接続する。そして、複数のコンパレータＣ１乃至Ｃ７を共通の基準電圧源８に接続する。すなわち、入力信号が複数段増幅され検波器を介してそれぞれ出力される電流を電圧に変換して各コンパレータの一方の入力端に入力される。そして、他方端に入力される共通の基準電圧と比較する。これにより、コンパレータに接続される基準電圧源８を共通にすることができ、ＲＳＳＩ回路１の消費電力を低減することができる。また、ＲＳＳＩ回路１の受信信号の分解能の高低を変更する場合にコンパレータ等の素子数を変更する。このことにより、ＲＳＳＩ回路１内の配線数が増加する場合がある。この場合、例えば、符号器を設けることによって、配線数の増加を抑制することができる。
【００２２】
また、従来のＲＳＳＩ回路を有する受信装置等において、例えば、Ａ／ＤコンバータをＲＦ部に内蔵するチップ構成に変換することを考えた場合、ＲＦ部に巨大なデジタル回路を挿入することとなり、受信装置がより大型化してしまう。また、Ａ／Ｄコンバータはクロック信号に基づいて動作を行う。従来、ＲＦ部内の装置はクロック信号に基づいて動作する装置を有していなかった。このため、例えば、Ａ／ＤコンバータをＲＦ部に形成することにより、クロック発生装置を設ける必要があるため、そのクロック発生装置によって発生するクロックによってＲＦ部内で生成される信号にノイズ等が発生してしまうという問題点があった。しかしながら、本実施の形態の電界検出回路はＡ／Ｄコンバータを使用しないため、そのようなノイズが発生することはない。
【００２３】
さらに、無線機の受信部又は携帯電話機等の移動体通信機器等に、消費電力の高いデジタルテレビ又はＢｌｕｅｔｏｏｔｈ等の付加的デジタル無線装置を搭載する場合は、消費電力を低減することができる本発明を用いることが効果的である。さらに、検波器から出力される電流を、負荷抵抗を介することによって電圧変換しコンパレータに入力させる構成とすることにより、Ａ／Ｄコンバータを用いないでデジタル信号を出力することができる。すなわち、簡単な構成で受信信号をデジタル信号に変換し出力することができ、装置を小型化することができる。また、本実施の形態のＲＳＳＩ回路は一般的な受信器にも利用可能である。すなわち、電界レベルをデジタルインジケータで表示する場合においても新たにインターフェース等を形成することなく使用可能である。
【００２４】
なお、本発明は上述した実施の形態のみに限定されるものではなく、本発明の要旨を逸脱しない範囲において種々の変更が可能であることは勿論である。
【図面の簡単な説明】
【００２５】
【図１】本実施の形態にかかる無線受信装置全体の構成を示すブロック図である。
【図２】本実施の形態にかかるＲＳＳＩ回路を示すブロック図である。
【図３】本実施の形態にかかるＲＳＳＩ回路のコンパレータに接続される符号器の概略図である。
【図４】電波の電界強度とＲＳＳＩ回路の出力電圧の関係を示す図である。
【図５】電波の電界強度とＲＳＳＩ回路の出力電圧の関係を示す図である。
【図６】従来のＲＳＳＩ回路を有する受信装置のブロック図である。
【図７】図６に示す受信装置の動作の一例である。
【図８】図６に示す受信装置の動作の一例である。
【図９】従来のコンパレータにそれぞれ基準電圧源が接続されている無線受信装置を示すブロック図である。
【符号の説明】
【００２６】
１、９３  ＲＳＳＩ回路
２  アンテナ
３  ＲＦアンプ
４  ミキサ
５  局部発振器
６  ＩＦアンプ
７  ＲＦ部
８、Ｅ１、Ｅ２、Ｅ３  基準電圧源
９０  通信装置
９４  Ａ／Ｄコンバータ
１００  無線受信装置
１０１  電界検出回路
１０２  制御回路
９１、Ｒ１、Ｒ２、Ｒ３、Ｒ４、Ｒ５、Ｒ６、Ｒ７  負荷抵抗
９２、Ｈ１、Ｈ２、Ｈ３、Ｈ４、Ｈ５、Ｈ６、Ｈ７  平滑容量
Ａ１、Ａ２、Ａ３、Ａ４、Ａ５、Ａ６、Ａ９１、Ａ９２、Ａ９３、Ａ９４、Ａ９５、Ａ９６  アンプ
Ｄ１、Ｄ２、Ｄ３、Ｄ４、Ｄ５、Ｄ６、Ｄ７、Ｄ９０、Ｄ９１、Ｄ９２、Ｄ９３、Ｄ９４、Ｄ９５、Ｄ９６  検波器
Ｃ１、Ｃ２、Ｃ３、Ｃ４、Ｃ５、Ｃ６、Ｃ７、Ｃ１０１、Ｃ１０２、Ｃ１０３  コンパレータ
【図１】
2008111783.tif 000003
【図２】
2008111783.tif 000004
【図３】
2008111783.tif 000005
【図４】
2008111783.tif 000006
【図５】
2008111783.tif 000007
【図６】
2008111783.tif 000008
【図７】
2008111783.tif 000009
【図８】
2008111783.tif 000010
【図９】
2008111783.tif 000011